(57)【特許請求の範囲】
【請求項１】
基材のいずれか一方の面に、インキを用いて、所望の画像が印刷された印刷物において、
前記基材は、前記インキの成分中のワニスが前記基材の内部にまで浸透可能な吸収する特性を有し、
前記インキは、乾燥後の透明性が高いワニスに反射光で観察すると視認角度又は光源の入射角度に応じて色相が変化する光透過性のパール顔料が配合されており、前記基材の内部に前記ワニスの一部を浸透せしめた上で乾燥させることによって、前記基材のうち前記画像を印刷した箇所を前記基材の厚さ方向に向かって半透明化されて成るとともに、前記画像を印刷した側の基材面上に前記光透過性のパール顔料が配向されて成り、
前記印刷物は、所望の画像を印刷した基材面側の反射光で観察すると見る角度又は光源の入射角度を変えることにより色相が変化する効果のある画像が観察できるとともに、いずれか一方の基材面側の透過光で観察すると前記反射光で観察した画像の補色の画像が観察されることを特徴とする偽造防止に適した印刷物。
【請求項２】
基材のいずれか一方の面に、インキを用いて、所望の画像が印刷された印刷物の製造方法において、
前記基材は、前記インキの成分中のワニスが前記基材の内部にまで浸透可能な吸収する特性を有し、
前記インキは、乾燥後の透明性が高いワニスに反射光で観察すると視認角度又は光源の入射角度に応じて色相が変化する光透過性のパール顔料が配合されており、前記基材の内部に前記ワニスの一部を浸透せしめた上で乾燥させることによって、前記基材のうち前記画像を印刷した箇所を前記基材の厚さ方向に向かって半透明化されるとともに、前記画像を印刷した側の基材面上に前記光透過性のパール顔料が配向され、
前記印刷物は、所望の画像を印刷した基材面側の反射光で観察すると見る角度又は光源の入射角度を変えることにより色相が変化する効果のある画像が観察できるとともに、いずれか一方の基材面側の透過光で観察すると前記反射光で観察した画像の補色の画像が観察されることを特徴とする偽造防止に適した印刷物の製造方法。
【発明の詳細な説明】
【０００１】
【発明の属する技術分野】
本発明は、所望の画像を印刷した基材面側の反射光で観察される画像といずれか一方の基材面側の透過光で観察される画像が、互いに同一の形状を持った補色の関係にある画像となるように構成された偽造防止に適した印刷物及びその製造方法に関するものである。
【０００２】
【従来の技術】
上記した技術分野では、例えば特開平３−５９１９７号において、反射光で観察すると視認角度又は光源の入射角度に応じて色相が変化する効果を奏する画像が観察できるとともに、透過光で観察すると前記反射光で観察した画像の補色の画像が観察できるようにカラー透かし模様を作製する技術が開示されている。
【０００３】
この技術によって作製された画像をカラーコピー機で複製したとしても、反射光で観察した時に視認角度又は光源の入射角度に応じて色相が変化する効果を持った画像を得ることはできないし、透過光で観察しても前記反射光で観察した画像の補色の画像を観察することはできないので、この技術は、それなりの偽造防止効果をもっているといえるが、透明な又は透明に加工した支持体に真空メッキ法で無機化合物を蒸着してカラー透かし模様を作製する技術であるため、特殊な装置を必要とするものであり、手軽に作製できない、作製コストがかかる、大量製造に向かない、複雑なデザインを構成することが難しい等の欠点があった。
【０００４】
また、従来の光学的変化インキを利用して作製した印刷物では、所望の画像を印刷した基材面側の反射光で観察すると視認角度又は光源の入射角度に応じて色相が変化する効果を奏する画像を観察することができるが、いずれか一方の基材面側の透過光で観察したときに前記反射光で観察した画像の補色の画像を観察することはできなかった。
【０００５】
更に、最近では反射光で観察すると視認角度又は光源の入射角度に応じて色相が変化する効果をプリンタにより擬似的に再現できる方法もあるが、この場合も同様に、前記透過光で観察したときに前記反射光で観察した画像の補色の画像を観察することはできなかった。
【０００６】
このように、従来の技術では、光学的変化インキを印刷した基材面側で反射光により観察される画像といずれか一方の基材面側で透過光により観察される画像が、互いに同一の形状を持った補色の関係にある画像となるように構成された印刷物を得ることはできなかった。
【０００７】
【発明が解決しようとする課題】
本発明は、所望の画像を印刷した基材面側の反射光で観察すると視認角度又は光源の入射角度に応じて色相が変化する効果を奏する画像が観察できるとともに、いずれか一方の基材面側の透過光で観察すると前記反射光で観察した画像の補色の画像が観察できる印刷物であって、従来の印刷技術を用いて簡単に、且つ、低コストで必要とされる数量の印刷物を迅速に作製できるとともに、前記画像として複雑なデザインも容易に構成できることを特徴とする偽造防止に適した印刷物及びその製造方法を提供するものである。
【０００８】
【課題を解決するための手段】
本発明の偽造防止に適した印刷物は、乾燥後の透明性が高いワニスに反射光で観察すると視認角度又は光源の入射角度に応じて色相が変化する効果を持った光透過性の顔料を練合したインキを用いて、基材のいずれか一方の面に所望の画像を印刷したことを特徴としている。
【０００９】
また、本発明の偽造防止に適した印刷物は、前記基材が透明な基材であることを特徴としている。
【００１０】
また、本発明の偽造防止に適した印刷物は、前記基材が前記ワニスを吸収する特性を持った不透明な基材であり、前記ワニスの一部を前記基材の内部にまで浸透せしめた上で乾燥させることによって、前記基材のうち前記画像を印刷した箇所を前記基材の厚さ方向に向かって半透明化させるとともに、前記画像を印刷した側の基材面上に前記顔料を配向させたことを特徴としている。
【００１１】
また、本発明の偽造防止に適した印刷物は、前記面側の反射光で観察すると前記効果を奏する前記画像が観察できるとともに、前記基材のいずれかの面側の透過光で観察すると前記反射光で観察した画像の補色の画像が観察できることを特徴としている。
【００１２】
また、本発明の偽造防止に適した印刷物の製造方法は、乾燥後の透明性が高いワニスに反射光で観察すると視認角度又は光源の入射角度に応じて色相が変化する効果を持った光透過性の顔料を練合したインキを用いて、基材のいずれか一方の面に所望の画像を印刷することを特徴としている。
【００１３】
また、本発明の偽造防止に適した印刷物の製造方法は、前記基材が透明な基材であることを特徴としている。
【００１４】
また、本発明の偽造防止に適した印刷物の製造方法は、前記基材が前記ワニスを吸収する特性を持った不透明な基材であり、前記ワニスの一部を前記基材の内部にまで浸透せしめた上で乾燥させることによって、前記基材のうち前記画像を印刷した箇所を前記基材の厚さ方向に向かって半透明化させるとともに、前記画像を印刷した側の基材面上に前記顔料を配向させることを特徴としている。
【００１５】
また、本発明の偽造防止に適した印刷物の製造方法は、前記印刷物が、前記面側の反射光で観察すると前記効果を奏する前記画像が観察できるとともに、前記基材のいずれかの面側の透過光で観察すると前記反射光で観察した画像の補色の画像が観察できる印刷物であることを特徴としている。
【００１６】
【発明の実施の形態】
本発明では、乾燥後の透明性が高いワニスに視認角度又は光源の入射角度に応じて色相が変化する効果を持った光透過性の顔料を練合したインキを用いて、透明な基材又は前記ワニスを吸収する特性を持った不透明な基材に所望の画像を印刷して偽造防止に適した印刷物を作製すればよい。この場合に、インキ中のワニスや顔料の配合成分又は配合割合については、本発明の技術思想を逸脱することのない範囲で、以下に述べるような実施の形態を適宜、採用すればよい。
【００１７】
また、本発明では、スクリーン印刷、フレキソ印刷、グラビア印刷、凹版印刷等、インキの膜厚が確保できる印刷方式であれば何れの方式を用いてもよい。
【００１８】
また、本発明では、インキに使用するための顔料として、視認角度又は光源の入射角度に応じて色相が変化する効果を持った市販の光透過性の顔料を用いればよく、顔料について何ら制限を設ける必要はない。
【００１９】
また、本発明では、インキに使用するワニスの乾燥方式について特に制限を設ける必要はなく、ワニスとして一般に公知の諸材料を使用できるが、作製した印刷物を透過光で観察する際に本発明の効果を十分に発現させるためには、乾燥後のワニスの透明性を高くするとともに、ワニスを基材の内部にまで浸透せしめることによってワニスが乾燥した後に基材の厚さ方向の透明化を促進することが重要である。このため、本発明に用いるインキ中のワニスは、乾燥後の透明性が高いワニスであれば特に配合成分や配合割合に関する制約はなく、一般的な周知のワニスとして酸化重合型ワニスや紫外線硬化型ワニス、或いは、酸化重合併用の紫外線硬化型ワニスを用いることができる。この時、基材としてワニスを吸収する特性を持った不透明な基材を使用する場合は、乾燥後の透明性が高いワニスを含む低粘度のインキを用いることによって、基材の内部にまでワニスを十分に浸透せしめ、ワニスが乾燥した後に基材の厚さ方向の透明化を一層、促進して光の透過量を多くすることで発明の効果を増大させるとともに、光透過性の顔料の基材表面における配向性を良くして視認角度又は光源の入射角度に応じて色相が変化する効果を増大させることが必要である。
【００２０】
また、本発明では、基材として不透明な基材を使用する場合には、前記基材がインキ成分中のワニスを基材の内部にまで吸収する特性を持っていることが重要であり、その条件が満たされれば市販の上質紙などの通常の用紙を使用することができる。この場合、本発明では、インキ成分中のワニスを基材の内部にまで吸収する特性を持った不透明な基材を用いて、乾燥後の透明性が高いワニスを基材の内部にまで浸透せしめて基材の一部を基材の厚さ方向に向かって透明化させることによって、基材のいずれか一方の面側に印刷されたインキの補色を基材のいずれか一方の面側で透過光により容易に視認できるように印刷物を構成したことに大きな特徴がある。すなわち、本発明では、視認角度又は光源の入射角度に応じて色相が変化する効果を持った光透過性の顔料を練合したインキを用いて所望の画像を印刷した基材面側の反射光で観察すると、視認角度又は光源の入射角度に応じて色相が変化する効果を奏する前記画像が観察できるとともに、いずれか一方の面側の透過光で観察すると前記反射光で観察された画像の補色の画像が観察できる偽造防止に適した印刷物を作製することが可能となる。
【００２１】
また、本発明では、基材として透明な基材を使用してもよく、この場合には、印刷が可能な透明な基材であれば材質に関する制約はなく、例えば、一般的なトレーシングペーパーや合成樹脂フィルムで透明なシート状の基材を用いることができる。この時、作製した印刷物を透過光で観察する際に本発明の効果を十分に発現させるためには、乾燥後のワニスの透明性を高くすることが必要である。
【００２２】
【実施例】
本発明を詳細に説明するために、乾燥後の透明性が高い紫外線硬化型ワニスに反射光で観察すると視認角度又は光源の入射角度に応じて色相が変化する効果を持った光透過性の顔料である市販のパール顔料を練合したインキを使用して、スクリーン印刷機で上質紙に印刷した実施例を示す。
【００２３】
表１に示した配合例に基づき諸材料を配合し、３本ロールミルを用いて練合して紫外線硬化型パールインキを作製した。作製したインキの粘度は 1.1ポイズであった。
【００２４】
【表１】
0004235959.tif 000002
【００２５】
上記インキを使用してスクリーン印刷機で上質紙に印刷し、印刷物は印刷直後に空冷式 120w/cmのメタルハライドランプ１灯で紫外線を照射してインキを乾燥させたところ、パール顔料は用紙の表面に配向し、ワニスの一部は用紙の裏面まで浸透して乾燥していた。
【００２６】
上記の方法で作製した印刷物では、所望の画像を印刷した基材面側の反射光で観察すると見る角度又は光源の入射角度を変えることにより色相が変化する効果のある画像が観察できるとともに、いずれか一方の基材面側の透過光で観察すると前記反射光で観察した画像の補色の画像が観察されるので、本発明の目的とする効果を十分に得ることができた。
【００２７】
なお、本発明の技術思想の範囲内であれば、本発明で使用するインキ中のワニスや顔料の配合成分又は配合割合、或いは、本発明で使用する基材の種類を適宜、変更できることは勿論であり、本発明の実施の態様は上記した実施例に何ら限定されるものではない。
【００２８】
【発明の効果】
本発明によれば、乾燥後のワニスの透明性を向上させ、また、不透明な基材の厚さ方向へ乾燥後の透明性が高いワニスを浸透させることで、透明な基材や通常の印刷用紙を用いた一般的な印刷技術によって、所望の画像を印刷した基材面側の反射光で観察すると視認角度又は光源の入射角度に応じて色相が変化する効果を奏する画像が観察できるとともに、いずれか一方の面側の透過光で観察すると前記反射光で観察した画像の補色の画像が観察できる偽造防止に適した印刷物を作製することが可能である。
【００２９】
そのため、本発明の偽造防止に適した印刷物の作製にあたっては、特殊な装置を必要とすることなく、手軽に、低コストで、必要とされる数量の偽造防止に適した印刷物を迅速に作製することが可能である。
【００３０】
また、本発明の偽造防止に適した印刷物においては、前記画像として複雑で大小様々な画像をデザインの制約なく構成することができるとともに、顔料の種類に応じて前記画像を多様な色に表現することが可能であるから、所望の画像を印刷した基材面側の反射光で観察すると視認角度又は光源の入射角度に応じて色相が変化する効果を奏する画像が観察できるとともに、いずれか一方の面側の透過光で観察すると前記反射光で観察した画像の補色の画像が観察できる効果をより一層、複雑で多様なものに高度化することができる。